(57)【要約】【課題】光偏向面への光ビームの主走査方向の入射位置を調整して、被走査面全体にわたってビームスポット径を均一にすることにより、良好な品質の画像を形成できる光走査装置及び画像形成装置を提供する。【解決手段】レーザ書き込みユニット２２は、光源装置３１と結像光学系３２とを備えている。光源装置３１は、光源部としての光源ユニット４８からの光ビーム５９の向きを調整する調整ねじ５６及び調整用ねじ孔６９と、該光ビーム５９を偏向面９５で偏向して被走査面上に主走査方向Ｘに往復走査させる振動ミラー８５とを備えている。調整ねじ５６及び調整用ねじ孔６９は光源ユニット４８に設けられており、光源ユニット４８の主走査方向Ｘの向きを調整して該光源ユニット４８の半導体レーザ５１からの光ビーム５９の偏向面９５への照射位置を主走査方向Ｘにおいて向きを調整可能として、当該光ビーム５９を偏向面９５の中央に照射することを可能にしている。【選択図】図９
2008102487.tif 000002
【特許請求の範囲】
【請求項１】
光ビームを発する光源部と、前記光源部からの光ビームを一方向にのみ集光して線像を形成する線像形成レンズと、前記線像形成レンズを通された前記光ビームを偏向する光偏向部と、前記光偏向部によって偏向された前記光ビームを被走査面上にスポット状に結像する結像光学系と、を有する光走査装置において、
前記光源部からの前記光ビームの前記光偏向部に照射される位置を調整する調整手段が設けられていることを特徴とする光走査装置。
【請求項２】
前記調整手段が、前記光源部からの前記光ビームの向きを前記光偏向部の主走査方向において調整する向き調整手段であることを特徴とする請求項１に記載の光走査装置。
【請求項３】
前記調整手段が、前記光源部からの前記光ビームの前記光偏向部への照射位置を該光偏向部の主走査方向において調整する位置調整手段であることを特徴とする請求項１に記載の光走査装置。
【請求項４】
前記調整手段が、前記光偏向部の位置及び傾きを該光偏向部の主走査方向において調整する光偏向部調整手段であることを特徴とする請求項１に記載の光走査装置。
【請求項５】
前記調整手段が、前記光源部と前記光偏向部との間に配されるとともに、前記光源部からの前記光ビームの光束幅を規制する開口部が設けられた絞り部を少なくとも備えたことを特徴とする請求項１に記載の光走査装置。
【請求項６】
前記絞り部が、該絞り部の位置及び傾きを前記光偏向部の主走査方向において調整する絞り部調整手段を有していることを特徴とする請求項５に記載の光走査装置。
【請求項７】
前記絞り部が、前記光源部と前記光偏向部との間において該光偏向部の近傍に配されていることを特徴とする請求項５又は請求項６に記載の光走査装置。
【請求項８】
前記絞り部が、前記線像形成レンズと前記光偏向部との間に配されていることを特徴とする請求項５乃至請求項７のうちいずれかに記載の光走査装置。
【請求項９】
前記開口部が、前記光偏向部の主走査方向において該光偏向部の幅よりも大きく形成されていることを特徴とする請求項５乃至請求項８のうちいずれか一項に記載の光走査装置。
【請求項１０】
前記光偏向部が、枠体と、該枠体の内縁に一端が連なったねじり梁と、前記ねじり梁の他端に連なりかつ前記光源部からの前記光ビームを偏向可能であるとともに前記ねじり梁を中心として回動自在な偏向面と、を有する振動ミラーであることを特徴とする請求項１乃至請求項９のうちいずれか一項に記載の光走査装置。
【請求項１１】
光ビームを発する光源部と、前記光源部からの光ビームを所定の収束状態に変換するカップリングレンズと、前記カップリングレンズを通された前記光ビームを正弦揺動により偏向する振動ミラー部と、前記振動ミラー部によって偏向された前記光ビームを被走査面上にスポット状に結像する結像光学部と、を有する光走査装置において、
前記光源部からの前記光ビームの前記振動ミラー部に照射される位置を調整する調整手段を設け、前記調整手段により、前記光ビームの中心が前記振動ミラー部の略回転軸上に照射されることを特徴とする光走査装置。
【請求項１２】
前記調整手段が、前記光源部からの前記光ビームの向きを前記振動ミラー部の主走査方向において調整する向き調整手段であることを特徴とする請求項１１に記載の光走査装置。
【請求項１３】
前記向き調整手段が、前記光源部の向きを調整する手段であることを特徴とする請求項１２に記載の光走査装置。
【請求項１４】
前記向き調整手段が、前記カップリングレンズの向きを調整する手段であることを特徴とする請求項１２に記載の光走査装置。
【請求項１５】
前記向き調整手段が、前記光源部と、前記カップリングレンズを一体化した光源ユニットの向きを調整する手段であることを特徴とする請求項１２に記載の光走査装置。
【請求項１６】
前記光源部と前記カップリングレンズを一体化した光源ユニットを備えるとともに、前記光源ユニットが、前記光源部からの前記光ビームの光束幅を規制する開口部が設けられた絞り部を更に備え、前記向き調整手段が、前記光源ユニットの向きを調整する手段であることを特徴とする請求項１２に記載の光走査装置。
【請求項１７】
前記開口部が、前記振動ミラー部の主走査方向において該振動ミラー部の幅よりも大きく形成されていることを特徴とする請求項１６に記載の光走査装置。
【請求項１８】
前記振動ミラー部に光ビームを導光する導光手段を更に備え、前記向き調整手段が、前記光導光手段の向きを調整する手段であることを特徴とする請求項１６に記載の光走査装置。
【請求項１９】
前記向き調整手段が、前記振動ミラー部の向きを調整する手段であることを特徴とする請求項１２に記載の光走査装置。
【請求項２０】
前記調整手段が、前記光源部からの前記光ビームの前記振動ミラー部の照射位置を該振動ミラー部の主走査方向において調整する位置調整手段であることを特徴とする請求項１１に記載の光走査装置。
【請求項２１】
前記位置調整手段が、前記光源部の位置を前記振動ミラー部の主走査方向において調整する手段であることを特徴とする請求項２０に記載の光走査装置。
【請求項２２】
前記位置調整手段が、前記カップリングレンズの位置を前記振動ミラー部の主走査方向において調整する手段であることを特徴とする請求項２０に記載の光走査装置。
【請求項２３】
前記位置調整手段が、前記光源部と、前記カップリングレンズを一体化した光源ユニットの位置を前記振動ミラー部の主走査方向において調整する手段であることを特徴とする請求項２０に記載の光走査装置。
【請求項２４】
前記光源部と前記振動ミラー部との間に配されるとともに、前記光源部からの前記光ビームの光束幅を規制する開口部が設けられた絞り部を更に備え、前記位置調整手段が、該絞り部の位置を前記振動ミラー部の主走査方向において調整する手段であることを特徴とする請求項２０に記載の光走査装置。
【請求項２５】
前記位置調整手段が、前記光源部と、前記カップリングレンズと、前記光源部からの前記光ビームの光束幅を規制する開口部が設けられた絞り部とを一体化した光源ユニットの位置を、前記振動ミラー部の主走査方向において調整する手段であることを特徴とする請求項２０に記載の光走査装置。
【請求項２６】
前記開口部が、前記振動ミラー部の主走査方向において該振動ミラー部の幅よりも大きく形成されていることを特徴とする請求項２４に記載の光走査装置。
【請求項２７】
前記調整手段が、前記振動ミラー部の位置を該振動ミラー部の主走査方向において調整する手段であることを特徴とする請求項２０に記載の光走査装置。
【請求項２８】
感光体と、帯電装置と、現像装置と、光走査装置とを少なくとも備えた画像形成装置において、上記光走査装置として、請求項１乃至請求項２７のうちいずれか一項に記載の光走査装置を備えたことを特徴とする画像形成装置。
【発明の詳細な説明】
【技術分野】
【０００１】
本発明は、デジタル複写機、ファクシミリ、レーザプリンタ等の画像形成装置に用いられる光走査装置に関する。
【背景技術】
【０００２】
デジタル複写機、ファクシミリ、レーザプリンタ等の画像形成装置には、感光体上に光ビームを走査するために種々の光走査装置が用いられている。従来から用いられてきた光走査装置において、光源からの光ビームを偏向する偏向器として、ポリゴンミラーやカルバノミラーが用いられてきた。しかしながら、より高解像度の画像を短時間で形成するためには、これらのポリゴンミラーやカルバノミラーをより高速で回転する必要が生じる。前述したポリゴンミラーやカルバノミラーを回転自在に支持する軸受の耐久性や、回転時の発熱、騒音などによって、ポリゴンミラーやカルバノミラーをより高速で回転するには、限界が生じる。
【０００３】
このため、前述した光走査装置で用いられる偏向器として、近年、シリコンマイクロマシニングを利用した偏向器（例えば、特許文献１乃至３を参照。）が、提案されている。この種の偏向器は、図１５に示されている。図１５に示されているように、この偏向器５０１においては、表面が偏向面５０２ａをなす振動ミラー５０２と当該振動ミラー５０２を軸支するねじり梁５０３とが一体に形成されている。この偏向器５０１によれば、振動ミラー５０２のサイズを小さくすることで、小型化を図ることができることに加えて、振動ミラー５０２の共振を利用して、当該振動ミラー５０２を往復振動させるので高速動作が可能であるにもかかわらず、低騒音で消費電力が低いという利点がある。
【０００４】
さらに、低振動で発熱をほとんどしないために、光走査装置を収容するハウジングなどを薄肉化でき、当該ハウジングをガラス繊維の配合率が少ない低コストな樹脂成形材で構成しても、画像品質への影響が発生し難いといった利点もある。特に、前記特許文献３には、ポリゴンミラーの代わりに、前述した偏向器５０１を用いた例が開示されている。ポリゴンミラーの代わりとして振動ミラーを用いることで、低騒音化や低消費電力化が可能となり、オフィス環境に適合するとともに、地球環境にも適合した画像形成装置が提案されている。
【特許文献１】特許第２９２４２００号公報
【特許文献２】特許第３０１１１４４号公報
【特許文献３】特開２００２−８２３０３号公報
【発明の開示】
【発明が解決しようとする課題】
【０００５】
しかしながら、前述した振動ミラー５０２を駆動した際に、当該振動ミラー５０２の慣性モーメントと復元力に起因する動的面変形が、以下に示すように発生する。
【０００６】
図１５に示された振動ミラー５０２の寸法を、縦２ａ、横２ｂ、厚さｄ、ねじり梁５０３の長さをＬ、幅ｃとし、そして、Ｓｉの密度ρ、材料定数Ｇとすると、振動ミラー５０２の慣性モーメントＩは、以下の式１で示される。
【０００７】
慣性モーメントＩ＝（４ａｂρｄ／３）×ａ2 ・・・式１
【０００８】
上記の式１に示すように、振動ミラー５０２の局所的な慣性モーメントＩは、振動ミラー５０２の回転軸からの距離の関数であり、回転軸からの距離が大きくなれば慣性モーメントが大きくなることがわかる。さらに、振動ミラー５０２自体の厚さが数百μｍと薄いので、往復振動に伴う回転速度の変化と当該振動ミラー５０２にかかる慣性力に伴い、振動ミラー５０２のねじり梁５０３の近傍の箇所とねじり梁５０３から離れた端とで反対向きに力が働いて、図１６に示すように、振動ミラー５０２が波状にうねって変形する。従って、振動ミラー５０２で反射された光ビームの光束の波面収差が大きくなり、光ビームが太くなる。
【０００９】
図１６は、単純な板状の振動ミラー５０２の変形状態を示している。図１６では、光束の波面収差の劣化と同時に、破線で示すようにねじり梁５０３と直交する方向(主走査方
向)の入射位置のずれが生じている。この場合、見かけの曲率が異なるので、光ビームの
結像位置にずれ(ピントずれ)が生じる。特に、偏向器や光源などの組み付け誤差によって、図１７に示すように、前述した光ビームが振動ミラー５０２の縁部に収束された場合には、結像位置における光ビームが太くなったり（図１７（ｂ）を参照。）、ピントずれ（図１７（ａ）を参照。）が生じる。
【００１０】
そして、振動ミラー５０２の縁部に収束された光ビームが、主走査方向において集光光束（図１７（ａ）を参照。）又は発散光束（図１７（ｂ）を参照。）となるので、結像位置に光ビームを均一に集光させることができず、そのため、所望のビームスポット径を得られなくなる。それ故、従来においては、被走査面上全体にわたり光ビームを集光することができなくなって、ビームスポット径を均一に保つことができなくなり、その結果、画像の劣化につながってしまうという問題があった。
【００１１】
本発明は、上記事情に鑑みてなされたものであって、光偏向面への光ビームの主走査方向の入射位置を調整して、被走査面全体にわたってビームスポット径を均一にすることにより、良好な品質の画像を形成することができる光走査装置及び画像形成装置を提供することを目的としている。
【課題を解決するための手段】
【００１２】
前記目的を達成するために、請求項１に記載された発明は、光ビームを発する光源部と、前記光源部からの光ビームを一方向にのみ集光して線像を形成する線像形成レンズと、前記線像形成レンズを通された前記光ビームを偏向する光偏向部と、前記光偏向部によって偏向された前記光ビームを被走査面上にスポット状に結像する結像光学系と、を有する光走査装置において、前記光源部からの前記光ビームが前記光偏向部に照射される位置を調整する調整手段が設けられていることを特徴とするものである。
【００１３】
請求項２に記載された発明は、請求項１に記載の発明において、前記調整手段が、前記光源部からの前記光ビームの向きを前記光偏向部の主走査方向において調整する向き調整手段であることを特徴とするものである。
【００１４】
請求項３に記載された発明は、請求項１に記載の発明において、前記調整手段が、前記光源部からの前記光ビームの前記光偏向部への照射位置を該光偏向部の主走査方向において調整する位置調整手段であることを特徴とするものである。
【００１５】
請求項４に記載された発明は、請求項１に記載の発明において、前記調整手段が、前記光偏向部の位置及び傾きを該光偏向部の主走査方向において調整する光偏向部調整手段であることを特徴とするものである。
【００１６】
請求項５に記載された発明は、請求項１に記載の発明において、前記調整手段が、前記光源部と前記光偏向部との間に配されるとともに、前記光源部からの前記光ビームの光束幅を規制する開口部が設けられた絞り部を少なくとも備えたことを特徴とするものである。
【００１７】
請求項６に記載された発明は、請求項５に記載の発明において、前記絞り部が、該絞り部の位置及び傾きを前記光偏向部の主走査方向において調整する絞り部調整手段を有していることを特徴とするものである。
【００１８】
請求項７に記載された発明は、請求項５又は請求項６に記載の発明において、前記絞り部が、前記光源部と前記光偏向部との間において該光偏向部の近傍に配されていることを特徴とするものである。
【００１９】
請求項８に記載された発明は、請求項５乃至請求項７のうちいずれか一項に記載の発明において、前記絞り部が、前記線像形成レンズと前記光偏向部との間に配されていることを特徴とするものである。
【００２０】
請求項９に記載された発明は、請求項５乃至請求項８のうちいずれか一項に記載の発明において、前記開口部が、前記光偏向部の走査方向において該光偏向部の幅よりも大きく形成されていることを特徴とするものである。
【００２１】
請求項１０に記載された発明は、請求項１乃至請求項８のうちいずれか一項に記載の発明において、前記光偏向部が、枠体と、該枠体の内縁に一端が連なったねじり梁と、前記ねじり梁の他端に連なりかつ前記光源部からの前記光ビームを偏向可能であるとともに前記ねじり梁を中心として回動自在な偏向面と、を有する振動ミラーであることを特徴とするものである。
【００２２】
請求項１１に記載された発明は、光ビームを発する光源部と、前記光源部からの光ビームを所定の収束状態に変換するカップリングレンズと、前記カップリングレンズを通された前記光ビームを正弦揺動により偏向する振動ミラー部と、前記振動ミラー部によって偏向された前記光ビームを被走査面上にスポット状に結像する結像光学部と、を有する光走査装置において、前記光源部からの前記光ビームの前記振動ミラー部に照射される位置を調整する調整手段を設け、前記調整手段により、前記光ビームの中心が前記振動ミラー部の略回転軸上に照射されることを特徴とするものである。
【００２３】
請求項１２に記載された発明は、請求項１１に記載の発明において、前記調整手段が、前記光源部からの前記光ビームの向きを前記振動ミラー部の主走査方向において調整する向き調整手段であることを特徴とするものである。
【００２４】
請求項１３に記載された発明は、請求項１２に記載の発明において、前記向き調整手段が、前記光源部の向きを調整する手段であることを特徴とするものである。
【００２５】
請求項１４に記載された発明は、請求項１２に記載の発明において、前記向き調整手段が、前記カップリングレンズの向きを調整する手段であることを特徴とするものである。
【００２６】
請求項１５に記載された発明は、請求項１２に記載の発明において、前記向き調整手段が、前記光源部と、前記カップリングレンズを一体化した光源ユニットの向きを調整する手段であることを特徴とするものである。
【００２７】
請求項１６に記載された発明は、請求項１２に記載の発明において、前記光源部と前記カップリングレンズを一体化した光源ユニットを備えるとともに、前記光源ユニットが、前記光源部からの前記光ビームの光束幅を規制する開口部が設けられた絞り部を更に備え、前記向き調整手段が、前記光源ユニットの向きを調整する手段であることを特徴とするものである。
【００２８】
請求項１７に記載された発明は、請求項１６に記載の発明において、前記開口部が、前記振動ミラー部の主走査方向において該振動ミラー部の幅よりも大きく形成されていることを特徴とするものである。
【００２９】
請求項１８に記載された発明は、請求項１６に記載の発明において、前記振動ミラー部に光ビームを導光する導光手段を更に備え、前記向き調整手段が、前記光導光手段の向きを調整する手段であることを特徴とするものである。
【００３０】
請求項１９に記載された発明は、請求項１２に記載の発明において、前記向き調整手段が、前記振動ミラー部の向きを調整する手段であることを特徴とするものである。
【００３１】
請求項２０に記載された発明は、請求項１１に記載の発明において、前記調整手段が、前記光源部からの前記光ビームの前記振動ミラー部の照射位置を該振動ミラー部の主走査方向において調整する位置調整手段であることを特徴とするものである。
【００３２】
請求項２１に記載された発明は、請求項２０に記載の発明において、前記位置調整手段が、前記光源部の位置を前記振動ミラー部の主走査方向において調整する手段であることを特徴とするものである。
【００３３】
請求項２２に記載された発明は、請求項２０に記載の発明において、前記位置調整手段が、前記カップリングレンズの位置を前記振動ミラー部の主走査方向において調整する手段であることを特徴とするものである。
【００３４】
請求項２３に記載された発明は、請求項２０に記載の発明において、前記位置調整手段が、前記光源部と、前記カップリングレンズを一体化した光源ユニットの位置を前記振動ミラー部の主走査方向において調整する手段であることを特徴とするものである。
【００３５】
請求項２４に記載された発明は、請求項２０に記載の発明において、前記光源部と前記振動ミラー部との間に配されるとともに、前記光源部からの前記光ビームの光束幅を規制する開口部が設けられた絞り部を更に備え、前記位置調整手段が、該絞り部の位置を前記振動ミラー部の主走査方向において調整する手段であることを特徴とするものである。
【００３６】
請求項２５に記載された発明は、請求項２０に記載の発明において、前記位置調整手段が、前記光源部と、前記カップリングレンズと、前記光源部からの前記光ビームの光束幅を規制する開口部が設けられた絞り部とを一体化した光源ユニットの位置を、前記振動ミラー部の主走査方向において調整する手段であることを特徴とするものである。
【００３７】
請求項２６に記載された発明は、請求項２４に記載の発明において、前記開口部が、前記振動ミラー部の主走査方向において該振動ミラー部の幅よりも大きく形成されていることを特徴とするものである。
【００３８】
請求項２７に記載された発明は、請求項２０に記載の発明において、前記調整手段が、前記振動ミラー部の位置を該振動ミラー部の主走査方向において調整する手段であることを特徴とするものである。
【００３９】
請求項２８に記載された発明は、感光体と、帯電装置と、現像装置と、光走査装置とを少なくとも備えた画像形成装置において、上記光走査装置として、請求項１乃至請求項２７のうちいずれか一項に記載の光走査装置を備えたことを特徴とするものである。
【発明の効果】
【００４０】
以上説明したように、請求項１に記載された発明によれば、光ビームの光偏向部に照射される位置を調整する調整手段が設けられているので、光源部からの光ビームを光偏向部の中央に照射させることができ、そのために、取付公差・加工公差などが生じて、光ビームの光偏向部への入射位置がずれても光ビームを光偏向部の中央に導くことができ、よって、光ビームを光偏向部で確実に偏向することができ、結像位置の光ビームが太くなったりピントずれが生じることが防止できることによって、光ビームのケラレによるフレア光などの散乱光の発生を抑え、地汚れなどの画質の劣化の無い高品質な画像を形成することができる。
【００４１】
請求項２に記載された発明によれば、調整手段が、光源部からの光ビームの向きを光偏向部の主走査方向において調整する向き調整手段であるので、光ビームを光偏向部の主走査方向に中央に照射させることができ、そのために、取付公差・加工公差などが生じたりしても、光ビームを光偏向部の主走査方向の中央に導くことができ、よって、光ビームを光偏向部で確実に偏向することができ、結像位置の光ビームが太くなったりピントずれが生じることが防止できることによって、光ビームのケラレによるフレア光などの散乱光の発生を抑え、地汚れなどの画質の劣化の無い高品質な画像を形成することができる。
【００４２】
請求項３に記載された発明によれば、調整手段が、光源部からの光ビームの光偏向部への照射位置を該光偏向部の主走査方向において調整する位置調整手段であるので、光ビームを光偏向部の主走査方向の中央に確実に照射させることができ、そのために、取付公差・加工公差などが生じたりしても、光ビームを光偏向部の主走査方向の中央に確実に導くことができ、よって、光ビームを光偏向部で確実に偏向することができ、結像位置の光ビームが太くなったりピントずれが生じることが防止できることによって、光ビームのケラレによるフレア光などの散乱光の発生を抑え、地汚れなどの画質の劣化の無い高品質な画像を形成することができる。
【００４３】
請求項４に記載された発明によれば、調整手段が、光偏向部の位置及び傾きを該光偏向部の主走査方向において調整する光偏向部調整手段であるので、光ビームを光偏向部の主走査方向の中央に確実に照射させることができ、そのために、取付公差・加工公差などが生じたりしても、光ビームを光偏向部の主走査方向の中央に確実に導くことができ、よって、光ビームを光偏向部で確実に偏向することができ、結像位置の光ビームが太くなったりピントずれが生じることが防止できることによって、光ビームのケラレによるフレア光などの散乱光の発生を抑え、地汚れなどの画質の劣化の無い高品質な画像を形成することができる。
【００４４】
請求項５に記載された発明によれば、調整手段が、光源部と光偏向部との間に光ビームの光束幅を規制する開口部が設けられた絞り部を少なくとも備えているので、光偏向部よりも被走査面寄りの結像光学系に影響を与えることなく、光偏向部の主走査方向Ｘにおける光ビームの入射位置を調整することができ、また、光ビームを光偏向部の主走査方向の中央に照射させることができ、それらのため、取付公差・加工公差などが生じたりしても、光ビームを光偏向部の主走査方向の中央に導くことができ、よって、光ビームを光偏向部の中央で確実に偏向させることができる。
【００４５】
請求項６に記載された発明によれば、絞り部が該絞り部の位置及び傾きを光偏向部の主走査方向において調整する絞り部調整手段を有しているので、光ビームを光偏向部の主走査方向の中央により確実に照射させることができ、そのために、取付公差・加工公差などが生じたりしても、光ビームを光偏向部の主走査方向の中央により確実に導くことができ、よって、光ビームを光偏向部の中央でより確実に偏向させることができる。
【００４６】
請求項７に記載された発明によれば、絞り部が光源部と光偏向部との間において該光偏向部の近傍に配されているので、光ビームの光偏向部への該光偏向部の主走査方向の照射位置のずれを軽減することができ、そのために、光ビームを光偏向部の主走査方向の中央に確実に照射させることができ、よって、取付公差・加工公差などが生じたりしても、光ビームを光偏向部の主走査方向の中央に確実に導くことができ、光ビームを光偏向部の中央で確実に偏向させることができる。
【００４７】
請求項８に記載された発明によれば、絞り部が線像形成レンズと光偏向部との間に配されているので、光ビームの光偏向部への該光偏向部の主走査方向の照射位置のずれを軽減することができ、そのために、光ビームを光偏向部の主走査方向の中央に確実に照射させることができ、よって、取付公差・加工公差などが生じたりしても、光ビームを光偏向部の主走査方向の中央に確実に導くことができ、光ビームを光偏向部の中央で確実に偏向させることができる。
【００４８】
請求項９に記載された発明によれば、開口部が光偏向部の主走査方向において該光偏向部の幅よりも大きく形成されているので、光偏向部に入射する光ビームの光束幅を走査方向において光偏向部の幅よりも大きくすることができ、そのために、光ビームを光偏向部の主走査方向の全体に照射させて、光ビームを光偏向部の主走査方向の中央に確実に導くことができ、よって、光ビームを光偏向部の中央で確実に偏向させることができる。
【００４９】
請求項１０に記載された発明によれば、光変更面が、枠体と、該枠体の内縁に一端が連なったねじり梁と、ねじり梁の他端に連なりかつ光源部からの光ビームを偏向可能であるとともにねじり梁を中心として回動自在な偏向面と、を有する振動ミラーであるので、ねじり梁を中心に偏向面が回動することで光源部からの光ビームを偏向面で偏向して被走査面上に主走査方向に往復走査させることができ、そのために、高速動作が可能であり、かつ、低騒音化や低消費電力化を可能とし、オフィス環境に適合するとともに、地球環境にも適合した光走査装置とすることができる。
【００５０】
請求項１１に記載された発明によれば、光ビームの振動ミラー部に照射される位置を調整する調整手段が設けられているので、光源部からの光ビームを振動ミラー部の中央に照射させることができ、そのために、取付公差・加工公差などが生じて、光ビームの振動ミラー部への入射位置がずれても光ビームを振動ミラー部の中央に導くことができ、よって、光ビームを振動ミラー部で確実に正弦振動により偏向することができ、結像位置の光ビームが太くなったりピントずれが生じることが防止できることによって、光ビームのケラレによるフレア光などの散乱光の発生を抑え、地汚れなどの画質の劣化の無い高品質な画像を形成することができる。
【００５１】
請求項１２に記載された発明によれば、調整手段が、光源部からの光ビームの振動ミラー部へ向きを振動ミラー部の主走査方向において調整する向き調整手段であるので、光ビームを振動ミラー部の主走査方向の中央に確実に照射させることができ、そのために、取付公差・加工公差などが生じたりしても、光ビームを振動ミラー部の主走査方向の中央に確実に導くことができ、よって、光ビームを振動ミラー部で確実に偏向することができ、結像位置の光ビームが太くなったりピントずれが生じることが防止できることによって、光ビームのケラレによるフレア光などの散乱光の発生を抑え、地汚れなどの画質の劣化の無い高品質な画像を形成することができる。
【００５２】
請求項１３に記載された発明によれば、向き調整手段が、光源部の向きを調整する手段であるので、光源部の光ビームを振動ミラー部の主走査方向の中央に確実に照射させることができ、そのために、取付公差・加工公差などが生じたりしても、光ビームを振動ミラー部の主走査方向の中央に確実に導くことができ、よって、光ビームを振動ミラー部で確実に偏向することができ、結像位置の光ビームが太くなったりピントずれが生じることが防止できることによって、光ビームのケラレによるフレア光などの散乱光の発生を抑え、地汚れなどの画質の劣化の無い高品質な画像を形成することができる。
【００５３】
請求項１４に記載された発明によれば、向き調整手段が、カップリングレンズの向きを調整する手段であるので、光源部からカップリングレンズを通された前記光ビームを振動ミラー部の主走査方向の中央に確実に照射させることができ、そのために、取付公差・加工公差などが生じたりしても、光ビームを振動ミラー部の主走査方向の中央に確実に導くことができ、よって、光ビームを振動ミラー部で確実に偏向することができ、結像位置の光ビームが太くなったりピントずれが生じることが防止できることによって、光ビームのケラレによるフレア光などの散乱光の発生を抑え、地汚れなどの画質の劣化の無い高品質な画像を形成することができる。
【００５４】
請求項１５に記載された発明によれば、向き調整手段が、光源部とカップリングレンズを一体化した光源ユニットの向きを調整する手段であるので、光源ユニットからの光ビームを振動ミラー部の主走査方向の中央に確実に照射させることができ、そのために、取付公差・加工公差などが生じたりしても、光ビームを振動ミラー部の主走査方向の中央に確実に導くことができ、よって、光ビームを振動ミラー部で確実に偏向することができ、結像位置の光ビームが太くなったりピントずれが生じることが防止できることによって、光ビームのケラレによるフレア光などの散乱光の発生を抑え、地汚れなどの画質の劣化の無い高品質な画像を形成することができる。
【００５５】
請求項１６に記載された発明によれば、向き調整手段が、光源ユニットの向きを調整する手段であり、更に、光源ユニットが、光源部からの光光ビームの光束幅を規制する開口部が設けられた絞り部を備えているので、振動ミラー部よりも被走査面寄りの結像光学系に影響を与えることなく、振動ミラー部の主走査方向Ｘにおける光ビームの入射位置を調整することができ、また、光ビームを振動ミラー部の主走査方向の中央に照射させることができ、それらのため、取付公差・加工公差などが生じたりしても、光ビームを振動ミラー部の主走査方向の中央に導くことができ、よって、光ビームを振動ミラー部の中央で確実に偏向させることができる。
【００５６】
請求項１７に記載された発明によれば、開口部が振動ミラー部の主走査方向において該振動ミラー部の幅よりも大きく形成されているので、振動ミラー部に入射する光ビームの光束幅を走査方向において振動ミラー部の幅よりも大きくすることができ、そのために、光ビームを振動ミラー部の主走査方向の全体に照射させて、光ビームを振動ミラー部の主走査方向の中央に確実に導くことができ、よって、光ビームを振動ミラー部の中央で確実に偏向させることができる。
【００５７】
請求項１８に記載された発明によれば、向き調整手段が、振動ミラー部に光ビームを導光する導光手段の向きを調整する手段であるので、光源部から導光手段を通された光ビームを振動ミラー部の主走査方向の中央に確実に照射させることができ、そのために、取付公差・加工公差などが生じたりしても、光ビームを振動ミラー部の主走査方向の中央に確実に導くことができ、よって、光ビームを振動ミラー部で確実に偏向することができ、結像位置の光ビームが太くなったりピントずれが生じることが防止できることによって、光ビームのケラレによるフレア光などの散乱光の発生を抑え、地汚れなどの画質の劣化の無い高品質な画像を形成することができる。
【００５８】
請求項１９に記載された発明によれば、向き調整手段が、振動ミラー部の向きを調整する手段であるので、光源部からの光ビームを振動ミラー部の主走査方向の中央に確実に照射させることができ、そのために、取付公差・加工公差などが生じたりしても、光ビームを振動ミラー部の主走査方向の中央に確実に導くことができ、よって、光ビームを振動ミラー部で確実に偏向することができ、結像位置の光ビームが太くなったりピントずれが生じることが防止できることによって、光ビームのケラレによるフレア光などの散乱光の発生を抑え、地汚れなどの画質の劣化の無い高品質な画像を形成することができる。
【００５９】
請求項２０に記載された発明によれば、調整手段が、光源部からの光ビームの振動ミラー部の照射位置を該振動ミラー部の主走査方向において調整する位置調整手段であるので、光ビームを振動ミラー部の主走査方向の中央に確実に照射させることができ、そのために、取付公差・加工公差などが生じたりしても、光ビームを振動ミラー部の主走査方向の中央に確実に導くことができ、よって、光ビームを振動ミラー部で確実に偏向することができ、結像位置の光ビームが太くなったりピントずれが生じることが防止できることによって、光ビームのケラレによるフレア光などの散乱光の発生を抑え、地汚れなどの画質の劣化の無い高品質な画像を形成することができる。
【００６０】
請求項２１に記載された発明によれば、位置調整手段が、光源部の位置を振動ミラー部の主走査方向において調整する手段であるので、光源部からの光ビームを振動ミラー部の主走査方向の中央に確実に照射させることができ、そのために、取付公差・加工公差などが生じたりしても、光ビームを振動ミラー部の主走査方向の中央に確実に導くことができ、よって、光ビームを振動ミラー部で確実に偏向することができ、結像位置の光ビームが太くなったりピントずれが生じることが防止できることによって、光ビームのケラレによるフレア光などの散乱光の発生を抑え、地汚れなどの画質の劣化の無い高品質な画像を形成することができる。
【００６１】
請求項２２に記載された発明によれば、位置調整手段が、カップリングレンズの位置を振動ミラー部の主走査方向において調整する手段であるので、光源部からカップリングレンズを通された光ビームを振動ミラー部の主走査方向の中央に確実に照射させることができ、そのために、取付公差・加工公差などが生じたりしても、光ビームを振動ミラー部の主走査方向の中央に確実に導くことができ、よって、光ビームを振動ミラー部で確実に偏向することができ、結像位置の光ビームが太くなったりピントずれが生じることが防止できることによって、光ビームのケラレによるフレア光などの散乱光の発生を抑え、地汚れなどの画質の劣化の無い高品質な画像を形成することができる。
【００６２】
請求項２３に記載された発明によれば、位置調整手段が、光源部とカップリングレンズを一体化した光源ユニットの位置を振動ミラー部の主走査方向において調整する手段であるので、光源ユニットからの光ビームを振動ミラー部の主走査方向の中央に確実に照射させることができ、そのために、取付公差・加工公差などが生じたりしても、光ビームを振動ミラー部の主走査方向の中央に確実に導くことができ、よって、光ビームを振動ミラー部で確実に偏向することができ、結像位置の光ビームが太くなったりピントずれが生じることが防止できることによって、光ビームのケラレによるフレア光などの散乱光の発生を抑え、地汚れなどの画質の劣化の無い高品質な画像を形成することができる。
【００６３】
請求項２４に記載された発明によれば、光源部と振動ミラー部との間に配されるとともに、光源部からの光ビームの光束幅を規制する開口部が設けられた絞り部を更に備え、位置調整手段が、該絞り部の位置を前記振動ミラー部の主走査方向において調整する手段であので、振動ミラー部よりも被走査面寄りの結像光学系に影響を与えることなく、振動ミラー部の主走査方向Ｘにおける光ビームの入射位置を調整することができ、また、光ビームを振動ミラー部の主走査方向の中央に照射させることができ、それらのため、取付公差・加工公差などが生じたりしても、光ビームを振動ミラー部の主走査方向の中央に導くことができ、よって、光ビームを振動ミラー部の中央で確実に偏向させることができる。
【００６４】
請求項２５に記載された発明によれば、位置調整手段が、光源部とカップリングレンズと前記絞り部とを一体化した光源ユニットを、振動ミラー部の主走査方向において調整する手段であるので、振動ミラー部よりも被走査面寄りの結像光学系に影響を与えることなく、振動ミラー部の主走査方向Ｘにおける光ビームの入射位置を調整することができ、また、光源ユニットからの光ビームを振動ミラー部の主走査方向の中央に確実に照射させることができ、そのために、取付公差・加工公差などが生じたりしても、光ビームを振動ミラー部の主走査方向の中央に確実に導くことができ、よって、光ビームを振動ミラー部で確実に偏向することができ、結像位置の光ビームが太くなったりピントずれが生じることが防止できることによって、光ビームのケラレによるフレア光などの散乱光の発生を抑え、地汚れなどの画質の劣化の無い高品質な画像を形成することができる。
【００６５】
請求項２６に記載された発明によれば、開口部が振動ミラー部の主走査方向において該振動ミラー部の幅よりも大きく形成されているので、振動ミラー部に入射する光ビームの光束幅を走査方向において振動ミラー部の幅よりも大きくすることができ、そのために、光ビームを振動ミラー部の主走査方向の全体に照射させて、光ビームを振動ミラー部の主走査方向の中央に確実に導くことができ、よって、光ビームを振動ミラー部の中央で確実に偏向させることができる。
【００６６】
請求項２７に記載された発明によれば、調整手段が、振動ミラー部の位置を該振動ミラー部の主走査方向において調整する手段であるので、光ビームを振動ミラー部の主走査方向の中央に確実に照射させることができ、そのために、取付公差・加工公差などが生じたりしても、光ビームを振動ミラー部の主走査方向の中央に確実に導くことができ、よって、光ビームを振動ミラー部で確実に偏向することができ、結像位置の光ビームが太くなったりピントずれが生じることが防止できることによって、光ビームのケラレによるフレア光などの散乱光の発生を抑え、地汚れなどの画質の劣化の無い高品質な画像を形成することができる。
【００６７】
請求項２８に記載された発明によれば、請求項１乃至請求項２７のうちいずれか一項に記載の光走査装置を備えているので、光ビームのケラレによる画質の劣化が無く、高画質、高速化を図ることができるとともに、オフィス環境に適合し、かつ、地球環境にも適合した画像形成装置とすることができる。
【発明を実施するための最良の形態】
【００６８】
以下、本発明の第１実施形態を、図１乃至図９を参照して説明する。図１は、本発明の第１実施形態にかかる画像形成装置の構成を正面から見た説明図である。図２は、図１に示された画像形成装置の光走査装置としてのレーザ書き込みユニットと感光体などの要部を示す説明図である。図３は、図１に示された画像形成装置のレーザ書き込みユニットの分解斜視図である。図４は、図１に示された画像形成装置のレーザ書き込みユニットと感光体などの要部を示す斜視図である。図５は、図３に示されたレーザ書き込みユニットの光源装置の分解斜視図である。図６は、図４に示された光源装置の偏向ユニットの分解斜視図である。図７の（ａ）は、図６に示された偏向ユニットの振動ミラーの正面図であり、（ｂ）は、図７（ａ）に示された振動ミラーのミラー部の背面図であり、（ｃ）は、図７（ｂ）中のＶＩＣ−ＶＩＣ線に沿う断面図である。図８は、図７（ａ）に示された振動ミラーの分解斜視図である。図９の（ａ）は、図５に示された光源装置の光源ユニットの分解斜視図であり、（ｂ）は、図９（ａ）に示された光源ユニットを背面側からみた斜視図である。
【００６９】
画像形成装置１は、画像を転写材としての記録紙７（図１に示す）に形成する。画像形成装置１は、図１に示すように、装置本体２と、給紙ユニット３と、レジストローラ対１０と、転写ユニット４と、定着ユニット５と、光走査装置としてのレーザ書き込みユニット２２と、プロセスカートリッジ６と、排紙部１６と、を少なくとも備えている。
【００７０】
装置本体２は、例えば、箱状に形成され、フロア上などに設置される。装置本体２は、給紙ユニット３と、レジストローラ対１０と、転写ユニット４と、定着ユニット５と、レーザ書き込みユニット２２と、プロセスカートリッジ６を収容している。
【００７１】
給紙ユニット３は、装置本体２の下部に設けられており、装置本体２に出し入れ自在な複数の給紙カセット２３、２４を備えている。複数の給紙カセット２３、２４は、前述した記録紙７を重ねて収容するとともに、該複数の給紙カセット２３、２４それぞれに給紙ローラ２５、２６を備えている。給紙ローラ２５、２６は、各給紙カセット２３、２４内の一番上の記録紙７に押し当てられている。給紙ローラ２５、２６は、前述した一番上の記録紙７を、レジストローラ対１０の一対のローラ１０ａ，１０ｂ間に送り出す。
【００７２】
レジストローラ対１０は、給紙ユニット３から転写ユニット４に搬送される記録紙７の搬送経路に設けられており、一対のローラを備えている。レジストローラ対１０は、一対のローラ間に記録紙７を挟み込み、該挟み込んだ記録紙７を、トナー像を重ね合わせ得るタイミング（副走査方向（図１中の上下方向）の記録開始のタイミング）に合わせて、転写ユニット４とプロセスカートリッジ６との間に送り出す。
【００７３】
転写ユニット４は、給紙ユニット３の上方に設けられている。転写ユニット４は、複数のローラ２７と、転写ベルト２９を備えている。各ローラ２７は、それぞれ、装置本体に回転自在に設けられており、少なくとも一つが駆動源としてのモータなどによって回転駆動される。転写ベルト２９は、無端環状に形成されており、前述した複数のローラ２７に掛け渡されている。転写ベルト２９は、前述した複数のローラ２７に掛け渡されることで、プロセスカートリッジ６の下方でかつ近傍に位置付けられている。転写ベルト２９は、モータなどによって少なくとも一つのローラ２７が回転駆動されることで、前述した複数のローラ２７の回りを循環（無端走行）する。
【００７４】
転写ユニット４は、転写ベルト２９が給紙ユニット３から送り出された記録紙７を各プロセスカートリッジ６の感光体ドラム８の外表面に押し付けて、感光体ドラム８上のトナー像を記録紙７に転写する。転写ユニット４は、トナー像を転写した記録紙７を定着ユニット５に向けて送り出す。
【００７５】
定着ユニット５は、互いの間に記録紙７を挟む一対のローラ５ａ，５ｂを備えている。定着ユニット５は、一対のローラ５ａ，５ｂ間に転写ユニット４から送り出されてきた記録紙７を押圧加熱することで、感光体ドラム８から記録紙７上に転写されたトナー像を、該記録紙７に定着させる。
【００７６】
レーザ書き込みユニット２２は、装置本体２の上部即ち給紙ユニット３の上方に配置されている。レーザ書き込みユニット２２は、プロセスカートリッジ６の後述の帯電チャージャ９により一様に帯電された感光体ドラム８の外表面にレーザ光を照射して、静電潜像を形成する。レーザ書き込みユニット２２は、後述する振動ミラー８５の１周期の往復走査により、感光体ドラム８の外表面に２ライン毎の画像記録を行う（静電潜像を形成する）。なお、このレーザ書き込みユニット２２の詳細な構成は、後ほど説明する。
【００７７】
プロセスカートリッジ６は、転写ユニット４と、レーザ書き込みユニット２２との間に設けられており、装置本体２に着脱自在である。プロセスカートリッジ６は、図２に示すように、カートリッジケース１１と、帯電装置としての帯電チャージャ９と、感光体（像担持体ともいう）としての感光体ドラム８と、クリーニング装置としてのクリーニングケース１２と、現像装置１３と、を備えている。このため、画像形成装置１は、帯電チャージャ９と、感光体ドラム８と、クリーニングケース１２と、現像装置１３と、を少なくとも備えている。
【００７８】
カートリッジケース１１は、装置本体２に着脱自在で、かつ帯電チャージャ９と、感光体ドラム８と、クリーニングケース１２と、現像装置１３と、を収容している。帯電チャージャ９は、感光体ドラム８の外表面を一様に帯電する。感光体ドラム８は、現像装置１３の後述する現像ローラ１５と間隔をあけて配されている。感光体ドラム８は、軸芯を中心として回転自在な円柱状又は円筒状に形成されている。
【００７９】
感光体ドラム８は、レーザ書き込みユニット２２により、外表面上に静電潜像が形成される。感光体ドラム８は、外表面上に形成されかつ担持する静電潜像にトナーが吸着して現像し、こうして得られたトナー像を転写ベルト２９との間に位置付けられた記録紙７に転写する。なお、感光体ドラム８の外表面は、特許請求の範囲に記載された被走査面をなしている。クリーニングケース１２は、記録紙７にトナー像を転写した後に、感光体ドラム８の外表面に残留した転写残トナーを除去する。
【００８０】
現像装置１３は、トナーカートリッジ１７と、現像剤担持体としての現像ローラ１５とを少なくとも備えている。現像装置１３は、トナーカートリッジ１７内のトナーなどを十分に攪拌し、この攪拌したトナーを現像ローラ１５の外表面に吸着する。そして、現像装置１３は、現像ローラ１５が回転して、トナーを感光体ドラム８に吸着させる。こうして、現像装置１３は、トナーを現像ローラ１５に担持して現像領域に搬送し、感光体ドラム８上の静電潜像を現像して、トナー像を形成する。
【００８１】
現像ローラ１５は、感光体ドラム８と平行でかつ近接して配置されている。現像ローラ１５と感光体ドラム８との間の空間は、トナーを感光体ドラム８に吸着させて、静電潜像を現像してトナー像を得る現像領域をなしている。
【００８２】
排紙部１６は、装置本体２の上面に設けられた排紙トレー１８、１９と、該排紙トレー１８、１９それぞれに設けられた一対の排紙ローラ２０、２１とを備えている。一対の排紙ローラ２０、２１は、それぞれ、互いの間に、定着ユニット５の一対のローラ５ａ，５ｂ間に挟まれてトナー像が定着された記録紙７が供給される。一対の排紙ローラ２０、２１は、それぞれ、トナー像が定着された記録紙７を排紙トレー１８、１９上に排出する。
【００８３】
前述した構成の画像形成装置１は、以下に示すように、記録紙７に画像を形成する。まず、画像形成装置１は、感光体ドラム８を回転して、この感光体ドラム８の外表面を一様に帯電チャージャ９により帯電する。感光体ドラム８の外表面にレーザ光を照射して、該感光体ドラム８の外表面に静電潜像を形成する。そして、静電潜像が現像領域に位置付けられると、現像装置１３の現像ローラ１５の外表面に吸着したトナーが感光体ドラム８の外表面に吸着して、静電潜像を現像し、トナー像を感光体ドラム８の外表面に形成する。
【００８４】
そして、画像形成装置１は、給紙ユニット３の給紙ローラ２５、２６などにより搬送されてきた記録紙７が、プロセスカートリッジ６の感光体ドラム８と転写ユニット４の転写ベルト２９との間に位置して、プロセスカートリッジ６の感光体ドラム８の外表面上に形成されたトナー像を記録紙７に転写する。画像形成装置１は、定着ユニット５で、記録紙７にトナー像を定着して、この記録紙７を排紙部１６の排紙トレー１８、１９いずれかに排出する。こうして、画像形成装置１は、記録紙７に画像を形成する。
【００８５】
以下、レーザ書き込みユニット２２（以下、単にユニットと記す）の詳細を説明する。感光体ドラム８を走査するユニット２２は、図２に示すように、一体的に構成され、記録紙７の移動方向（図２中の矢印で示す）Ｋに沿って、感光体ドラム８に対して、後述する半導体レーザ５１からの光ビームを振動ミラー８５で偏向して導くことで同時に静電潜像を形成する。なお、以下、図面において、感光体ドラム８の軸芯と平行な方向を矢印Ｘで示し、主走査方向と呼び、後述する振動ミラー８５で変更される光ビームの光軸と平行な方向を矢印Ｙで示し、光軸方向と呼び、主走査方向Ｘと光軸方向Ｙとの双方に対して直交する方向を矢印Ｚで示し、副走査方向と呼ぶ。
【００８６】
ユニット２２は、図３乃至図４に示すように、ユニット本体３０と、光源装置３１と、結像光学系３２と、を備えている。ユニット本体３０は、図３に示すように、帯板状の板部材３４を三つ備えている。板部材３４は、互いに両端部が固定されて、平面形状がコ字状となる状態で装置本体２に取り付けられる。
【００８７】
光源装置３１は、図３又は図４に示すように、光学ハウジング３５と、光源ユニット４８と、線像形成レンズとしてのシリンダレンズ３８と、偏向ユニット３９（図５に示す）と、を備えている。
【００８８】
光学ハウジング３５は、各々合成樹脂で形成されたハウジングケース４０と平板状の上カバー４１とを備えている。ハウジングケース４０は、平板状の底板４２と、該底板４２の外縁から立設した複数の側板４３と、仕切板４４とを一体に備えている。互いに連なる三つの側板４３には、それぞれ、後述する光源ユニット４８を取り付けるための嵌合孔４５と、射出窓４６が設けられている。嵌合孔４５は、丸形に形成されている。射出窓４６は、扁平な四角形に形成されている。
【００８９】
仕切板４４は、ハウジングケース４０内即ち光学ハウジング３５内の空間を、偏向ユニット３９を収容するための空間と、偏向ユニット３９以外の物品を収容する空間とに仕切っている。仕切板４４には、矩形状の透過窓４７が設けられている。上カバー４１は、ハウジングケース４０の側板４３の底板４２から離れた側の縁で形成される上方開口を塞いで該ハウジングケース４０に取り付けられて、光学ハウジング３５を封止する。
【００９０】
光源ユニット４８は、図９に示すように、プリント基板５０と、半導体レーザ５１と、ホルダ部材５３と、カップリングレンズ５４と、向き調整手段としての調節ねじ５６及び調節用ねじ孔６９と、を備えている。プリント基板５０は、絶縁性の基板と、該基板の外表面に形成された配線パターンなどを備えている。
【００９１】
半導体レーザ５１は、特許請求の範囲に記載された光源部をなしており、プリント基板５０に実装されている。即ち、光源ユニット４８は、プロセスカートリッジ６の光源部としての半導体レーザ５１を備えている。半導体レーザ５１は、感光体ドラム８に向かって光ビーム５９を発する。
【００９２】
ホルダ部材５３は、厚手の平板状のホルダ本体６３と、一対の支柱６４と、レーザ用位置決め孔６５と、一対の突起部６６と、一対の取付座面６８と、調節用ねじ孔６９と、を備えている。ホルダ本体６３には、副走査方向Ｚの両端から該副走査方向Ｚに向かって突出した支軸７０が設けられている。
【００９３】
一対の支柱６４は、ホルダ本体６３の外縁部に該ホルダ本体６３の中心を挟んで互いに相対する位置に設けられており、ホルダ本体６３からプリント基板５０に向かって立設している。支柱６４は、プリント基板５０上に重ねられて、該プリント基板５０を貫通したねじがねじ込まれることで、ホルダ部材５３をプリント基板５０に固定する。
【００９４】
レーザ用位置決め孔６５は、ホルダ本体６３を貫通しており、該ホルダ本体６３の中央に配置されている。レーザ用位置決め孔６５は、内側に半導体レーザ５１が侵入することで、当該半導体レーザ５１を位置決めする。
【００９５】
一対の取付座面６８は、平板状に形成されかつ支軸７０に連なっている。一対の取付座面６８は、その表面が、ホルダ本体６３の外表面と略面一となっている。調節用ねじ孔６９は、ホルダ本体６３の主走査方向Ｘの一端部に設けられ、かつホルダ本体６３を貫通している。調節用ねじ孔６９は、特許請求の範囲に記載された向き調整手段を構成する。
【００９６】
一対の突起部６６は、ホルダ本体６３からプリント基板５０から離れる方向即ち偏向ユニット３９に向かって凸に形成されている。一対の突起部６６は、互いの間にレーザ用位置決め孔６５を位置付けている。各突起部６６の外縁は、それぞれ、前述した嵌合孔４５の内縁に沿って形成されている。一対の突起部６６は、嵌合孔４５内に嵌合して、光源ユニット４８を光学ハウジング３５に対して位置決めする。また、各突起部６６の内面は、レーザ用位置決め孔６５の内面と面一に形成された断面Ｕ字状の溝７１が形成されている。
【００９７】
カップリングレンズ５４は、その光軸が半導体レーザ５１の光軸と一致しかつ、射出する光ビーム５９が平行光となるように半導体レーザ５１の光軸方向Ｙの位置が調整されて、一対の突起部６６それぞれの溝７１の内面との間にＵＶ接着剤が充填されて、突起部６６即ちホルダ本体６３に固定される。
【００９８】
調節ねじ５６は、調節用ねじ孔６９内にねじ込まれる。調節ねじ５６は、調節用ねじ孔６９内へのねじ込み量を適宜調整することで、ホルダ本体６３から光学ハウジング３５への突出量が適宜変更される。調節ねじ５６及び調節用ねじ孔６９は、特許請求の範囲に記載された向き調整手段をなしている。
【００９９】
前述した構成の光源ユニット４８は、光学ハウジング３５の嵌合孔４５内に突起部６６が挿入されて、回転方向を位置決めして、圧入固定される。そして、光源ユニット４８，４９は、光学ハウジング３５の側板４３を貫通したねじが取付座面６８にねじ込まれて、光学ハウジング３５に固定される。
【０１００】
このとき、調節ねじ５６のホルダ本体６３からの突出量を適宜変更すると、調節ねじ５６が光学ハウジング３５の側板４３に当接して、その突出量に応じて、ホルダ部材５３は、支軸７０を回転軸として弾性変形させて矢印方向(Ｂ方向)の傾きが調節される。こうして、偏向ユニット３９の後述する振動ミラー８５の偏向面９５に入射する光ビーム５９の照射位置を変更可能としている。
【０１０１】
これにより、偏向ユニット３９の後述する振動ミラー８５の偏向面９５への主走査方向Ｘの光ビーム５９の照射位置が当該偏向面９５の回転軸上となるように調整できるので、偏向面９５が波状に変形する場合においても、偏向面９５で反射された光ビーム５９の波面収差を小さく抑え、また、スポット状の光ビームの結像位置のずれ（ピントずれ）を抑えることができ、形成する画質の劣化を抑制することができる。
【０１０２】
シリンダレンズ３８は、光学ハウジング３５内に収容されている。シリンダレンズ３８は、副走査方向Ｚに向きを偏向自在に設けられている。シリンダレンズ３８は、光源ユニット４８から出射された光ビーム５９が入射して、当該光ビーム５９を偏向ユニット３９の後述する振動ミラー８５の偏向面９５に向かって出射する。シリンダレンズ３８は、振動ミラー８５の偏向面９５上で副走査方向Ｚに光ビーム５９を収束する。
【０１０３】
偏向ユニット３９は、図６に示すように、回路基板８３と、支持部材８４と、振動ミラー８５と、回路基板８３に実装された駆動回路（図示せず）と、を備えている。本実施形態では、振動ミラー８５の回転トルクの発生方法として電磁駆動方式の例を説明する。
【０１０４】
回路基板８３は、絶縁性の基板と、該基板の表面に形成された配線パターンとを備えている。なお、回路基板８３には、振動ミラー８５の駆動回路を構成する制御ICや水晶発振子と、コネクタ８６などが実装され、当該コネクタ８６を介して電源からの電力及び制御信号が入出力される。
【０１０５】
支持部材８４は、合成樹脂で成形されている、支持部材８４は、回路基板８３の所定位置に位置決めされて、当該回路基板８３から立設している。支持部材８４は、振動ミラー８５が装着される。支持部材８４は、振動ミラー８５を、後述するねじり梁９７が主走査方向Ｘに対して直交し、偏向面９５が主走査方向Ｘに対し所定の角度、実施例では２２．５度傾くように位置決めする位置決め部８７と、振動ミラー８５の実装基板９０の外縁に係止する押え爪８８と、振動ミラー８５の後述する実装基板９０の一辺に形成されている配線端子１２７が装着時に接触するように金属製端子群を配列したエッジコネクタ部８９とを一体に備えている。
【０１０６】
振動ミラー８５は、図７（ａ）に示すように、偏向面９５がねじり梁９７で軸支されており、後述するように、Si基板からエッチングにより外形を貫通して作製し、実装基板９０に装着されて得られる。本実施形態では、一対のSi基板を背合わせで、貼り合わせられて一体となったモジュールを示している。
【０１０７】
こうして得られた振動ミラー８５は、実装基板９０の一辺を上記したエッジコネクタ部８９に挿入し、かつ押え爪８８によって外縁が係止されて、実装基板９０の両側面を位置決め部８７に沿わせて、支持部材８４に支えられる。こうすることで、電気的な配線が同時になされ、各々の振動ミラー８５が個別に交換できるようにしている。
【０１０８】
振動ミラー８５は、図７及び図８に示すように、実装基板９０と、ミラー部９１とを備えている。実装基板９０上には、ミラー部９１を装着する枠状の台座９２と、ミラー部９１を囲うように形成されたヨーク９３が設けられている。上記ヨーク９３には、一対の永久磁石９４が取り付けられている。これら一対の永久磁石９４は、S極とN極とが、ねじり梁９７の長手方向に対して直交する方向に沿って、互いに相対している。一対の永久磁石９４は、ねじり梁９７の長手方向に対して直交する方向に磁界を発生する。
【０１０９】
ミラー部９１は、表面に偏向面９５を形成して振動子をなす可動部９６と、一端が可動部９６の副走査方向Ｚの両端に連なりかつ該副走査方向Ｚの両端から該副走査方向Ｚに沿って立設した回転軸をなすねじり梁９７と、内縁がねじり梁９７の他端に連なった支持部をなす枠状のフレーム９８（枠体に相当）とを備え、少なくとも一枚のSi基板をエッチングにより切り抜いて形成される。本実施形態では、ミラー部９１は、SOI基板と呼ばれる厚みが60μmと140μmの2枚の基板１０５，１０６が酸化膜を挟んであらかじめ接合されたウエハを用いて得られる。
【０１１０】
可動部９６は、平面コイル９９（図７（ｂ）に示す）が形成される振動板１００と、振動板１００の主走査方向Ｘの両端から立設した補強梁１０１と、振動板１００に積層されて前述した偏向面９５が形成される可動ミラー１０２とを備えている。ねじり梁９７は、ねじられるようになっており、ねじられることで、可動部９６即ち偏向面９５を回動自在とする。フレーム９８は、一対のフレーム１０３，１０４が積層されて構成されている。
【０１１１】
前述したミラー部９１は、まず、厚みが140μmの基板(第2の基板)１０５の表面側からプラズマエッチングによるドライプロセスによって、ねじり梁９７、平面コイル９９が形成される振動板１００、可動部９６の骨格をなす補強梁１０１と、フレーム１０３とを残したそれ以外の部分を酸化膜まで貫通させる。次に、厚みが60μm基板(第１の基板)１０６の表面側からKOHなどの異方性エッチングによって、可動ミラー１０２と、フレーム１０４とを残したそれ以外の部分を酸化膜まで貫通し、最後に、可動部９６の周囲の酸化膜を除去して分離しミラー部９１を形成する。
【０１１２】
ここで、ねじり梁９７、補強梁１０１の幅は40〜60μmとした。上記したように可動部９６の慣性モーメントIは、当該可動部９６即ち偏向面９５の振れ角を大きくとるには小さい方が望ましく、反面、慣性力によって偏向面９５が変形してしまうため、本実施形態では、可動部９６を肉抜きした構造としている。
【０１１３】
さらに、可動ミラー１０２の表面を含んだ厚みが60μmの基板１０６の表面にアルミニウム薄膜を蒸着して偏向面９５を形成し、厚みが140μmの基板１０５の表面には銅薄膜で平面コイル９９と、ねじり梁９７を介して配線された端子１０７、及び、トリミング用のパッチ１０８を形成する。当然、振動板１００側に薄膜状の永久磁石９４を設け、フレーム１０４側に平面コイル９９を形成する構成とすることもできる。
【０１１４】
ミラー部９１は、偏向面９５を表に向けた状態で、台座９２に装着される。ミラー部９１は、各端子１０７間に電流を流すことにより平面コイル９９のねじり梁９７に平行な各辺にローレンツ力が生じ、ねじり梁９７をねじって、可動部９６即ち偏向面９５を回転する回転トルクを発生し、電流を切るとねじり梁９７の弾性復元力により、可動部９６がフレーム９８と面一となる位置に復帰する。従って、平面コイル９９に流れる電流の方向を交互に切り換えることによって、可動ミラー１０２を往復振動させることができる。
【０１１５】
また、径時的には、振動ミラー８５の偏向面９５により走査された光ビーム５９を、走査領域の始端に配置した同期検知センサ１１５において、復走査時に検出した検出信号と往走査時に検出した検出信号との時間差により検出し、偏向面の振れ角度が一定となるように制御している。そして、復走査での光ビーム５９の検出から往走査での光ビーム５９の検出に至る期間では、発光源としての半導体レーザ５１の発光を禁止するようにしている。
【０１１６】
前述した偏向ユニット３９は、光学ハウジング３５内に収容されて、シリンダレンズ３８からの光ビーム５９が偏向面９５に導かれる。そして、偏向ユニット３９は、偏向面９５上に導かれた光ビーム５９を偏向して、結像光学系３２の後述するｆθレンズ１１６に向かって出射する。このとき、光ビーム５９は、調整ねじによって偏向ミラー８５の偏向面９５の中央部に入射するように向きが調整され、偏向ミラー８５の偏向面９５によって偏向されてｆθレンズ１１６に入射する。偏向ユニット３９は、光学ハウジング３５内に収容されて、外気から遮断されることで、外気の対流による振幅の変化が防止される。
【０１１７】
前述した光源装置３１は、光源ユニット４８の半導体レーザ５１からの光ビーム５９をｆθレンズ１１６に向かって出射する。光源装置３１は、互いに平行な一対の板部材３４とねじなどによって固定される。
【０１１８】
結像光学系３２は、図３又は図４に示すように、走査レンズとしてのｆθレンズ１１６と、折返しミラー１１８と、を備えている。ｆθレンズ１１６は、長手方向が感光体ドラム８の長手方向と平行な棒状に形成され、前述した光学ハウジング３５の射出窓４６内に取り付けられて、接着剤によって固定される。ｆθレンズ１１６は、主走査方向Ｘの中央部が振動ミラー８５から離れる方向に凸に形成されている。ｆθレンズ１１６は、光ビーム５９が通過するとともに、副走査方向Ｚにも収束力を有している。
【０１１９】
折返しミラー１１８は、長手方向が、感光体ドラム８の長手方向と平行な帯板状に形成されている。折返しミラー１１８は、ｆθレンズ１１６を通過した光ビーム５９を、感光体ドラム８の外表面に導くように、適宜箇所に配置されている。
【０１２０】
前述した構成の結像光学系３２は、光源装置３１の振動ミラー８５の偏向面９５からｆθレンズ１１６に光ビーム５９が入射する。ｆθレンズ１１６を通った光源ユニット４８からの光ビーム５９は、折返しミラー１１８で反射され、感光体ドラム８上にスポット状に結像し、画像情報に基いた静電潜像を形成する。
【０１２１】
前述した構成のユニット２２は、図４に示すように、光源ユニット４８の半導体レーザ５１を同期させて駆動するための同期検知センサ１１５を備えている。同期検知センサ１１５へは振動ミラー８５の偏向面９５で偏向された光ビーム５９が走査レンズとしてのｆθレンズ１１６の脇をすり抜け、結像レンズ１２２により集束されて、入射される。同期検知センサ１１５は、復走査時に検出した検出信号と往走査時に検出した検出信号との時間差により検出し、その検出信号をもとに、偏向面の振れ角度が一定となるように制御している。
【０１２２】
本実施形態によれば、光源ユニット４８が、半導体レーザ５１からの光ビーム５９の振動ミラー８５の偏向面９５への照射位置を主走査方向Ｘにおいて調整する向き調整手段としての調整ねじ及び調整用ねじ孔を備えているので、光ビーム５９を振動ミラー８５の偏向面９５の主走査方向Ｘの中央に照射することができる。そのために、取付・加工公差などが生じたりしても、光ビーム５９を振動ミラー８５ーの主走査方向Ｘの中央に導くことができる。
【０１２３】
よって、振動ミラー８５の偏向面９５が恰も波うって変形しても、偏向面９５の中央部の変形量が少ないため、振動ミラー８５を厚くすることなく、結像位置の光ビーム５９が太くなったりピントずれが生じることを防止でき、光ビーム５９のケラレによるフレア光などの散乱光の発生を抑え、地汚れなどの画質の劣化がない、高品質な画像を形成することができるとともに、振動ミラー径の小型化による慣性モーメントの低減によって、高速化、広角化、高画質化を実現することができる。
【０１２４】
そして、画像形成装置１は、前述したユニット２２を備えているので、光ビーム５９のケラレによる画質の劣化がなく、振動ミラー８５の小型化が可能となって、高画質、小型、高速化を図ることができる。
【０１２５】
前述した実施形態では、光源ユニット４８のホルダ部材５３に調節ネジ５６をねじ込むことで、主走査方向Ｘに光ビーム５９の向きを変更可能にしている。しかしながら、本発明では、主走査方向Ｘに光ビーム５９の向きを変更する手段を、振動ミラー８５に入射前の光学系の光学素子のいずれかに設けても良い。
【０１２６】
光源、またはカップリングレンズ単体の向きを調整し、振動ミラー上の照射位置を主走査方向に調整する構成としてもよい。図１８に光源単体の向きを調整する図を示す。光源が接着されている基板５０の向きを、カップリングレンズ５４のホルダ５３に対して調整することにより、光源単体の向きを調整し、振動ミラー上の照射位置を主走査方向に調整することができる。
【０１２７】
図１９にカップリングレンズ５４単体の向きを調整する図を示す。カップリングレンズ５４はＵＶ接着剤により、溝と内面の間に接着固定されるが、この際に、光源からのビームを点灯させ、光源とカップリングレンズ５４の光軸ずれを確認しながらカップリングレンズ５４の向きを調整し、接着固定することができる。調整は、書込ハウジングに搭載した後振動ミラー上での照射位置を確認しながら所望の向きのときの光軸ずれとなるように行っても良い。上記のようにカップリングレンズを接着固定することにより、カップリングレンズ単体の向きを調整し、振動ミラー上の照射位置を主走査方向に調整することができる。
【０１２８】
また、図２０に示すように、アパーチャ１３０（絞り部）を一体化した光源ユニットを向き調整可能としてもよい。このとき、書込ハウジングに当接させた調整ネジ（図示せず）によってその突き出し量により向きを調整し、振動ミラー上の照射位置を主走査方向に調整することができる。
【０１２９】
また、図２１に示すように、光源からのビームを、振動ミラー８５に導光する導光ミラーをさらに配置し、光学系をレイアウトすることもできる。このとき、導光ミラーにに前述したような向き調整手段を設けることにより、振動ミラー８５上の照射位置を主走査方向に調整することができる。
【０１３０】
また、前述した実施形態では、主走査方向Ｘに半導体レーザ５１からの光ビーム５９の向きを変更する向き調整手段を設けている。しかしながら、本発明では、主走査方向Ｘに半導体レーザ５１からの光ビーム５９を平行移動させる位置調整手段を光源ユニット４８に設けても良い。こうすることによって、光ビーム５９の振動ミラーの偏向面９５への照射位置を主走査方向Ｘに調整可能となり、偏向ユニット３９の振動ミラー８５の偏向面９５に入射する光ビーム５９の照射位置を変更可能とすることができ、光ビーム５９を振動ミラーの偏向面９５の主走査方向Ｘの中央に確実に照射させることができ、そのために、取付公差・加工公差などが生じたりしても、光ビーム５９を振動ミラー８５の偏向面９５の主走査方向Ｘの中央に確実に導くことができる。
【０１３１】
図２２に光源単体を主走査方向にシフト調整する様子を示す。光源が接着されている基板にマイクロ（図示せず）などの主走査方向に位置を調整できる機構を設けることにより、光源単体の主走査方向の位置を調整することができる。
【０１３２】
図２３はカップリングレンズ５４単体を主走査方向にシフト調整可能としている図である。前述のように、カップリングレンズ５４は溝と内面にＵＶ接着剤を充填し固定接着するので、固定接着の際に、カップリングレンズ５４のホルダ５３の主走査方向の位置を調整することにより、カップリングレンズ５４単体の主走査方向の位置を調整し、振動ミラー上の照射位置を主走査方向に調整することができる。
【０１３３】
また、図２４のように、光源とカップリングレンズを一体化した光源ユニット４８について、同様に主走査方向の位置調整を行ってもよい。
【０１３４】
また、図２５のように、アパーチャ（絞り部）１３０の主走査方向の位置調整を行っても良い。
【０１３５】
さらに、図２６のように、アパーチャ（絞り部）１３０を光源とカップリングレンズと一体化し、絞り部を含んだ光源ユニット４８の主走査方向の位置調整を行っても良い。
【０１３６】
さらに、本発明では、主走査方向Ｘに半導体レーザ５１からの光ビーム５９の向き及び、位置を調整する調整手段を光源ユニット４８に設けていた。しかしながら、本発明では、偏向ユニット３９前の光学系のいずれかの光学素子に設けて、振動ミラー８５の偏向面９５への光ビーム５９の主走査方向Ｘの入射位置を調整しても良い。
【０１３７】
次に、本発明の第２実施形態を、図１０を参照して説明する。図１０は、本発明の第２実施形態にかかる画像形成装置のレーザ書き込みユニットの光偏向部としての振動ミラー８５を備えた偏向ユニット３９’を示す斜視図である。図１０において、前述した第１実施形態と同一構成部分には同一符号を付して説明を省略する。
【０１３８】
本実施形態の光偏向部としての振動ミラー８５を備えた偏向ユニット３９’は、図１０に示すように、回路基板８３と支持部材８４との間に、特許請求の範囲に記載の向き調整手段としての回転部材８０が設けられている。回転部材８０は、平板状に形成されており、表面上に支持部材８４が接着剤などによって固定されて該支持部材８４が取り付けられる。回転部材８０は、回路基板８３の表面に重ねられて、該回転部材８０の中心が図示しない調整用ねじによって固定されて、回路基板８３上に回転方向（矢印Ｃ方向）に移動可能に取り付けられる。
【０１３９】
そして、回路基板８３上に回転方向（矢印Ｃ方向）に移動可能に取り付けられた回転部材８０に支持部材８４が取り付けられている。このため、光偏向部としての振動ミラー８５が取り付けられる支持部材８４を回路基板８３上に回転方向（矢印Ｃ方向）に移動させることができ、振動ミラーの回転方向（矢印Ｃ方向）に傾きを調節することができる。
【０１４０】
図２７のように、偏向ユニット３９’にマイクロ（図示せず）などを設け、主走査方向に位置調整可能な構成とすることにより、光源からのビームを振動ミラー上の中心に照射するよう調整することができる。
【０１４１】
こうして、偏向ユニット３９’の振動ミラー８５の偏向面９５への光ビーム５９の主走査方向Ｘの照射位置を変更可能としている。従って、偏向ユニット３９’の振動ミラー８５の偏向面９５への光ビーム５９の主走査方向Ｘの照射位置が当該偏向面９５の回転軸上となるように調整できるので、偏向面９５が波状に変形する場合においても、偏向面９５で反射された光ビーム５９の波面収差を小さく抑え、また、スポット状の光ビームの結像位置のずれ（ピントずれ）を抑えることができ、形成する画質の劣化を抑制することができる。
【０１４２】
本実施形態によれば、偏向ユニット３９’が、半導体レーザ５１からの光ビーム５９の振動ミラー８５の偏向面９５への照射位置を主走査方向Ｘにおいて調整する偏向部調整手段としての回転部材８０を備えているので、光ビーム５９を振動ミラー８５の偏向面９５の主走査方向Ｘの中央に照射することができる。そのために、取付・加工公差などが生じたり、振動ミラー８５を小型化しても、光ビーム５９を振動ミラー８５の主走査方向Ｘの中央に導くことができる。
【０１４３】
よって、振動ミラー８５の偏向面９５が恰も波うって変形しても、偏向面９５の中央部の変形量が少ないため、振動ミラー８５を厚くすることなく、結像位置の光ビーム５９が太くなったりピントずれが生じることを防止でき、光ビーム５９のケラレによるフレア光などの散乱光の発生を抑え、地汚れなどの画質の劣化がない、高品質な画像を形成することができることにより、高速化、広角化、高画質化を実現することができる。
【０１４４】
続いて、本発明の第３実施形態を、図１１又は図１２を参照して説明する。図１１は、本発明の第３実施形態にかかる画像形成装置のレーザ書き込みユニットの光偏向部としての振動ミラー８５などを示す説明図である。図１２は、図１１に示された画像形成装置の光走査装置としてのレーザ書き込みユニットの光偏向部としての振動ミラー８５などを示す説明図である。図１１及び図１２において、前述した第１実施形態と同一構成部分には同一符号を付して説明を省略する。
【０１４５】
本実施形態では、図１１に示すように、光源部としての光源ユニット４８の半導体レーザ５１と振動ミラー８５との間に絞り部としてのアパーチャ１３０が設けられており、さらに、光学ハウジング３５内に収容されるとともにシリンダレンズ３８と振動ミラー８５との間に配されている。アパーチャ１３０は、平板状の本体部１３１と、該本体部１３１の中央に貫通するように形成された開口部１３２とを備えている。開口部１３２は、主走査方向Ｘが長手方向の矩形状に形成されている。
【０１４６】
アパーチャ１３０は、光源ユニット４８の半導体レーザ５１からの光ビーム５９が振動ミラー８５の偏向面９５に入射する際に、光ビーム５９をアパーチャ１３０の開口部１３２と通すことによって、光ビーム５９の光束幅を偏向面９５に対応した幅に規制する。こうして、振動ミラー８５の偏向面９５への光ビーム５９の主走査方向Ｘの照射位置が当該偏向面９５に確実に入射するように、アパーチャ１３０によって光ビーム５９の光束幅を規制することができる。
【０１４７】
このとき、図１２（ａ）に示すように、アパーチャ１３０と振動ミラー８５との距離（矢印Ｓ）が離れていると、振動ミラー８５の偏向面９５の照射される光ビーム５９の入射位置が端部にずれて、光ビーム５９の偏向面９５のへの照射位置の主走査方向Ｘにおいてずれが生じてしまう。
【０１４８】
しかしながら、図１２（ｂ）に示すように、アパーチャ１３０と振動ミラー８５との間の距離Ｓを近づけることで、光ビーム５９の入射位置ずれが軽減される。よって、光ビーム５９の偏向面９５のへの照射位置の主走査方向においてのずれを軽減することができ、光ビーム５９を振動ミラー８５の偏向面９５の中央に照射することができる。
【０１４９】
また、アパーチャ１３０の開口部１３２は、図１２（ｃ）に示すように、主走査方向において振動ミラー８５の偏向面９５の幅よりも大きく形成されている。このため、振動ミラー８５の偏向面９５に入射する光ビーム５９の光束幅を走査方向において偏向面９５の幅よりも大きくすることができるので、光ビーム５９を偏向面９５の主走査方向の全体に照射させることによって、光ビーム５９を偏向面９５の主走査方向の中央に確実に導くことができる。
【０１５０】
本実施形態によれば、開口部としてのアパーチャ１３０が、光源部３６と振動ミラー８５との間に設けられているので、振動ミラー８５よりも被走査面寄りの結像光学系に影響を与えることなく、振動ミラー８５の偏向面９５上の主走査方向Ｘにおける光ビーム５９の入射位置を調整することができる。よって、光ビーム５９を振動ミラー８５の偏向面９５の主走査方向の中央に照射させることができる。
【０１５１】
さらに、本実施形態では、アパーチャ１３０を光源ユニット４８の半導体レーザ５１と振動ミラー８５との間の該振動ミラー８５の近傍に配置することで、振動ミラー８５の偏向面９５上の主走査方向Ｘにおける光ビーム５９の入射位置を容易に調整することができ、光ビーム５９を振動ミラー８５の偏向面９５の主走査方向の中央に確実に照射させることができる。よって、光ビーム５９を偏向面９５の中央で確実に偏向させることができる。
【０１５２】
また、アパーチャ１３０をシリンダレンズ３８と振動ミラー８５との間に配置することで、アパーチャ１３０を振動ミラー８５に近づけることができ、振動ミラー８５の偏向面９５上の主走査方向Ｘにおける光ビーム５９の入射位置をより効果的に調整することができ、光ビーム５９を振動ミラー８５の偏向面９５の主走査方向の中央に確実に照射させることができる。よって、光ビーム５９を偏向面９５の中央で確実に偏向させることができる。
【０１５３】
また、アパーチャ１３０の本体部１３１の開口部１３２を振動ミラー８５の偏向面９５よりも大きく形成することによって、光ビーム５９の光束幅を振動ミラー８５の幅よりも大きくすることができ、光ビーム５９を偏向面９５の主走査方向の全体に照射させることによって、光ビーム５９を偏向面９５の主走査方向の中央に確実に導くことができる。よって、光ビームを光偏向部の中央で確実に偏向させることができる。
【０１５４】
続いて、本発明の第４実施形態を、図１３を参照して説明する。図１３は、本発明の第４実施形態にかかる画像形成装置のレーザ書き込みユニットの光偏向部としての振動ミラー８５と絞り部としてのアパーチャ１３０などを示す説明図である。図１３において、前述した第１実施形態と同一構成部分には同一符号を付して説明を省略する。
【０１５５】
本実施形態では、図１３に示すように、絞り部としてのアパーチャ１３０が該アパーチャ１３０の位置及び傾きを調整する絞り部調整手段としての調整部１３５を備えている。調整部１３５は、光学ハウジング３５のハウジングケース４０の底板４２上に重ねられて、主走査方向Ｘと平行方向（矢印Ｄ）に位置が調整可能にねじなどによって底板４２に取り付けられている。そして、調整部１３５上に垂直に立設するようにアパーチャ１３０が接着剤やねじなどで固定されている。
【０１５６】
こうして、アパーチャ１３０は、調整部１３５によって主走査方向Ｘと平行方向（矢印Ｄ）に位置が調整可能にハウジングケース４０に取り付けられる。よって、アパーチャ１３０は、光ビーム５９を振動ミラー８５の偏向面９５への照射位置を主走査方向Ｘにおいて調整することができ、光ビーム５９を偏向面９５の主走査方向Ｘの中央に照射させることができる。
【０１５７】
また、アパーチャ１３０は、調整部１３５によって、該調整部１３５の中心を軸に回転方向に移動可能にねじなどによって底板４２に取り付けても良い。こうすることで、アパーチャ１３０は、調整部１３５によって傾きを調整可能にハウジングケース４０に取り付けられ、そして、アパーチャ１３０は、光ビーム５９の光束幅を振動ミラー８５の偏向面９５に対して主走査方向Ｘにおいて調整することができ、光ビーム５９を偏向面９５の主走査方向Ｘの中央に照射させることができる。
【０１５８】
本実施形態によれば、アパーチャ１３０が調整部１３５を備えているので、主走査方向Ｘにおいて位置及び傾きを調整することができるので、光ビーム５９を振動ミラー８５の偏向面９５の主走査方向Ｘにおいて調整することができ、光ビーム５９を偏向面９５の主走査方向Ｘの中央に照射させることができる。このため、取付・加工公差などが生じたりしても、光ビーム５９を偏向面９５の主走査方向Ｘの中央に確実に導くことができる。よって、光ビーム５９を偏向面９５の中央で確実に偏向させることができる。
【０１５９】
前述した実施形態では、画像形成装置１の光走査装置として、一つの感光体ドラム８の外表面を単一の光源ユニット４８からの光ビーム５９を振動ミラー８５により走査している。しかしながら、本発明では、２色以上の多色画像形性装置や、図１４に示すように、フルカラー画像形成装置の場合にも本発明の光走査装置を適用することができる。なお、図１４は、図２に示されたレーザ書き込みユニットの変形例などを示す説明図である。図１４において、前述した第１実施形態と同一構成部分には同一符号を付して説明を省略する。  図１４に示された場合では、画像形成装置の光走査装置としてのレーザ書き込みユニット２２’の複数の光源ユニット４８ａ，４８ｂからの四つの光ビーム５９，６０，６１，６２が複数の感光体ドラム８Ｙ，８Ｍ，８Ｃ，８Ｋに導光される。
【０１６０】
図１４に示すように、画像形成装置の光走査装置としてのレーザ書き込みユニット２２’は、光源装置３１’と、結像光学系３２’と、を備えている。光源装置３１’は、光学ハウジング３５と、複数の光源ユニット４８ａ，４８ｂと、入射ミラー３７と線像形成レンズとしてのシリンダレンズ３８と、偏向ユニット３９とを備えている。複数の光源ユニット４８ａ，４８ｂは、それぞれ、一対の半導体レーザ（図示せず）を備えており、複数の感光体ドラム８Ｙ，８Ｍ，８Ｃ，８Ｋと１対１で対応した光ビーム５９，６０，６１，６２を発する。各光源ユニット４８ａ，４８ｂは、それぞれ二つの半導体レーザからの光ビーム５９，６０，６１，６２のなす角度が２．５度となり、かつ振動ミラー８５の偏向面９５上で交差するように、これら二つの半導体レーザを配置している。
【０１６１】
入射ミラー３７は、光学ハウジング３５内に収容されており、各光源ユニット４８ａ，４８ｂの各半導体レーザ（図示せず）からの四つの光ビーム５９，６０，６１，６２が入射して、当該四つの光ビーム５９，６０，６１，６２を出射する。入射ミラー３７は、各半導体レーザからの四つの光ビーム５９，６０，６１，６２が上下一列に並び（副走査方向Ｚに沿って並び）かつ副走査方向Ｚに間隔をあける状態で、当該四つの光ビーム５９，６０，６１，６２を出射する。
【０１６２】
結像光学系３２’は、走査レンズとしてのｆθレンズ１１６と複数のトロイダルレンズ１１７Ｙ，１１７Ｍ，１１７Ｃ，１１７Ｋと、複数の折り返しミラー１１８とを備えている。ｆθレンズ１１６は、長手方向が感光体ドラム８Ｙ，８Ｍ，８Ｃ，８Ｋの長手方向と平行に配置されている。複数のトロイダルレンズ１１７Ｙ，１１７Ｍ，１１７Ｃ，１１７Ｋは、感光体ドラム８Ｙ，８Ｍ，８Ｃ，８Ｋと１対１で対応して設けられており、長手方向が、感光体ドラム８Ｙ，８Ｍ，８Ｃ，８Ｋの長手方向と平行な棒状に形成されている。複数のトロイダルレンズ１１７Ｙ，１１７Ｍ，１１７Ｃ，１１７Ｋは、対応する感光体ドラム８Ｙ，８Ｍ，８Ｃ，８Ｋの外表面上を走査する一つの光ビーム５９，６０，６１，６２のみが通過する。
【０１６３】
複数の折り返しミラー１１８は、長手方向が感光体ドラム８Ｙ，８Ｍ，８Ｃ，８Ｋの長手方向と平行な帯板状に形成されており、ｆθレンズ１１６を通された複数の光ビーム５９，６０，６１，６２を各トロイダルレンズ１１７Ｙ，１１７Ｍ，１１７Ｃ，１１７Ｋを介して感光体ドラム８Ｙ，８Ｍ，８Ｃ，８Ｋの外表面に導くように適宜箇所に配置されている。
【０１６４】
前述した構成の画像形成装置の光走査装置としてのレーザ書き込みユニット２２’は、光源装置３１’の複数の光源ユニット４８ａ，４８ｂからの四つの光ビーム５９，６０，６１，６２を入射ミラー３７によって副走査方向Ｚに沿って並びかつ互いに間隔をあける状態で出射して、シリンダレンズ３８を通され平行光に出射されて、アパーチャ１３０によって複数の光ビーム５９，６０，６１，６２の光束幅が規制されて、振動ミラー８５に対して、各光源ユニット４８ａ，４８ｂからの複数の光ビーム５９，６０，６１，６２を副走査方向Ｚに異なる入射角で斜入射させることで、各光源ユニット４８ａ，４８ｂからの複数の光ビーム５９，６０，６１，６２を一括して偏向反射して、偏向面９５で偏向反射された複数の光ビーム５９，６０，６１，６２が走査レンズとしてのｆθレンズ１１６に入射する。
【０１６５】
そして、ｆθレンズ１１６を通った複数の光ビーム５９，６０，６１，６２は、複数のトロイダルレンズ１１７Ｙ，１１７Ｍ，１１７Ｃ，１１７Ｋによって各カラーに分離されて、各感光体ドラム８Ｙ，８Ｍ，８Ｃ，８Ｋに対応する折返しミラー１１８それぞれで反射され、複数の感光体ドラム８Ｙ，８Ｍ，８Ｃ，８Ｋ上にスポット状に結像し、画像情報に基いた静電潜像を形成する。
【０１６６】
前述した実施形態では、光偏向部として振動ミラー８５を備えている。しかしながら、本発明では、従来からの光走査装置において一般的に用いられるポリゴンミラーでも良く、本発明の光偏向部については、振動ミラーに限ったものでは無い。
【０１６７】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【０１６８】
【図１】本発明の第１実施形態にかかる画像形成装置の構成を正面から見た説明図である。
【図２】図１に示された画像形成装置の光走査装置としてのレーザ書き込みユニットと感光体などの要部を示す説明図である。
【図３】図１に示された画像形成装置のレーザ書き込みユニットの分解斜視図である。
【図４】図１に示された画像形成装置のレーザ書き込みユニットと感光体などの要部を示す斜視図である。
【図５】図３に示されたレーザ書き込みユニットの光源装置の分解斜視図である。
【図６】図４に示された光源装置の偏向ユニットの分解斜視図である。
【図７】（ａ）は図６に示された偏向ユニットの振動ミラーの正面図であり、（ｂ）は図６（ａ）に示された振動ミラーのミラー部の背面図であり、（ｃ）は図７（ｂ）中のＶＩＣ−ＶＩＣ線に沿う断面図である。
【図８】図７（ａ）に示された振動ミラーの分解斜視図である。
【図９】（ａ）は図５に示された光源装置の光源ユニットの分解斜視図であり、（ｂ）は図９（ａ）に示された光源ユニットを背面側からみた斜視図である。
【図１０】本発明の第２実施例にかかる画像形成装置の光走査装置としてのレーザ書き込みユニットの光源装置の偏向ユニットの分解斜視図である。
【図１１】本発明の第３実施例にかかる画像形成装置のレーザ書き込みユニットと感光体などの要部を示す斜視図である。
【図１２】図１１に示された画像形成装置の光走査装置としてのレーザ書き込みユニットの光偏向部としての振動ミラーなどを示す説明図である。
【図１３】本発明の第４実施例にかかる画像形成装置の光走査装置としてのレーザ書き込みユニットの光偏向部としての振動ミラーと絞り部としてのアパーチャなどを示す説明図であり、（ａ）は、振動ミラーとの間隔が離れて配置されたアパーチャを示し、（ｂ）は、振動ミラーとの間隔が近づいて配置されたアパーチャを示し、（ｃ）は、アパーチャに設けられた開口部の大きさを示す説明図である。
【図１４】図２に示されたレーザ書き込みユニットの変形例などを示す説明図である。
【図１５】従来の振動ミラーなどを示す斜視図である。
【図１６】図１５に示された振動ミラーが波打った状態を示す斜視図である。
【図１７】（ａ）は、図１６に示された波打った状態の振動ミラーの凹状の端部に入射した光ビームの偏向例を示す説明図である。（ｂ）は、図１６に示された波打った状態の振動ミラーの凸状の端部に入射した光ビームの偏向例を示す説明図である。
【図１８】実施例における光源の向き調整の例を示す図である。
【図１９】実施例におけるカップリングレンズの向き調整の例を示す図である。
【図２０】実施例における絞り部を含めた光源ユニットの向き調整の例を示す図である。
【図２１】実施例における導光手段の向き調整の例を示す図である。
【図２２】実施例における光源部の位置調整の例を示す図である。
【図２３】実施例におけるカップリングレンズの位置調整の例を示す図である。
【図２４】実施例における光源ユニットの位置調整の例を示す図である。
【図２５】実施例における絞り部の位置調整の例を示す図である。
【図２６】実施例における絞り部を含めた光源ユニットの位置調整の例を示す図である。
【図２７】実施例における振動ミラー部の位置調整の例を示す図である。
【符号の説明】
【０１６９】
１  画像形成装置
８，８Ｙ，８Ｍ，８Ｃ，８Ｋ  感光体ドラム（感光体）
９  帯電チャージャ（帯電装置）
１３  現像装置
２２，２２’  レーザ書き込みユニット（光走査装置）
３２，３２’  結像光学系
３８  シリンダレンズ（線像形成レンズ）
４８，４８ａ，４８ｂ  光源ユニット（光源部）
５６  調整ねじ（向き調整手段、調整手段）
６９  調整用ねじ孔（向き調整手段、調整手段）
５９，６０，６１，６２  光ビーム
８０  回転部材（光偏向部調整手段、調整手段）
８５  振動ミラー（光変更部）
９５  偏向面
９７  ねじり梁
９８  フレーム（枠体）
１３０  アパーチャ（絞り部）
１３２  開口部
１３５  調整部（絞り部調整手段、調整手段）
Ｘ  主走査方向
【図１】
2008102487.tif 000003
【図２】
2008102487.tif 000004
【図３】
2008102487.tif 000005
【図４】
2008102487.tif 000006
【図５】
2008102487.tif 000007
【図６】
2008102487.tif 000008
【図７】
2008102487.tif 000009
【図８】
2008102487.tif 000010
【図９】
2008102487.tif 000011
【図１０】
2008102487.tif 000012
【図１１】
2008102487.tif 000013
【図１２】
2008102487.tif 000014
【図１３】
2008102487.tif 000015
【図１４】
2008102487.tif 000016
【図１５】
2008102487.tif 000017
【図１６】
2008102487.tif 000018
【図１７】
2008102487.tif 000019
【図１８】
2008102487.tif 000020
【図１９】
2008102487.tif 000021
【図２０】
2008102487.tif 000022
【図２１】
2008102487.tif 000023
【図２２】
2008102487.tif 000024
【図２３】
2008102487.tif 000025
【図２４】
2008102487.tif 000026
【図２５】
2008102487.tif 000027
【図２６】
2008102487.tif 000028
【図２７】
2008102487.tif 000029